(57)【要約】【課題】使用中にずれたり下に落ちることない、テーブルナプキンの提供。【解決手段】従来の麻や綿や化繊、若しくはそれらを混紡した素材からなる布製のテーブルナプキン１の表面の中心部に紐２によって雄雌対の磁石３・４を装着する。この磁石によって、テーブルナプキンの使用者は膝の上に置いたテーブルナプキンを二つ折りにした状態で衣類に固定できるために、使用中にテーブルナプキンがずれたり、下に落ちたりすることがない。【選択図】図１
2007319305.tif 000002
【特許請求の範囲】
【請求項１】
麻や綿や化繊、若しくはそれらを混紡した素材からなるテーブルナプキンにおいて、相互が磁気的な引力により引き合う対の磁石部材を装着して、それら対の磁石部材によりテーブルナプキンを衣服に固定化することを特徴とするテーブルナプキン。
【請求項２】
請求項１に記載の磁気的な引力により引き合う対の部材として、どちらか一方、または両方の保磁力が８００００Ａ／ｍ以上を持ち、且つ飽和磁束密度が０．１Ｔ以上であることを特徴とする磁石部材。
【請求項３】
請求項１に記載の磁気的な引力により引き合う対の部材をテーブルナプキンに固定化する方法として、穴を開けた磁石部材をテーブルナプキンの片面に縫い付ける、または糸を通じてぶら下げる状態にすることを特徴とする磁石部材の装着方法。
【発明の詳細な説明】
【技術分野】
【０００１】
本発明は、食事の際に衣服の汚れを防止するために使用するテーブルナプキンに関するものである。
【背景技術】
【０００２】
従来、レストランや結婚式場などで、食事の際に使用されるテーブルナプキンは、麻や綿や化繊、若しくはそれらを混紡した素材からなる、ほつれ防止のために端縫いを施した、５６ｃｍから６９ｃｍ四方の正方形の布であるが、これを膝の上に置いて食事をしていると、ずれて下に落ちそうになる、若しくは落ちてしまう、という欠点がある。
【０００３】
また最近では、焼肉レストランなどで、紐を首の後ろで結んで衣類の汚れ防止のための胸当てとする小ぶりの紙のエプロンを置いている店もあり、これに対する特許も出願されている。
その特許とは、市販の紙ナプキン若しくはファッションペーパーの裏面上部２ヶ所に幅約３センチメートル長さ約２センチメートル程の剥離紙で覆った粘着部を設けており、食事の際には、その剥離紙を剥がし、衣類の前面に貼って、衣類の汚れを防止する、というものである。
【０００４】
しかし、高級なレストランや結婚式などでは紙のナプキンやエプロンは相応しくない。また、上記の特許のように接着部で衣類にナプキンを貼ると、剥がすときに衣類を傷める事も予想される。
【０００５】
【特許文献１】実開平７−３０８４５号公報
【発明の開示】
【発明が解決しようとする課題】
【０００６】
レストラン等で食事の際に使用するテーブルナプキンが使用しているうちに、ずれて下に落ちそうになる、若しくは下に落ちてしまうことを防止する。
【課題を解決するための手段】
【０００７】
従来からある、麻や綿や化繊、若しくはそれらを混紡した素材からなる布でできたテーブルナプキン、例えば標準で５６ｃｍから６９ｃｍ四方の正方形のテーブルナプキンの隅、若しくは、二つ折りにして使用する場合は中心部に、相互が磁気的な引力により引き合う対の磁石を設けることによって、使用者の衣類に対の磁石で挟むことによりテーブルナプキンを固定するものである。
用いる磁石部材として、少なくとも対の中の片側の磁石部材の保磁力が８００００Ａ／ｍ以上あり、且つ飽和磁束密度０．１Ｔ以上あることが望ましい。このような材料として、Ｓｍ１Ｃｏ５やＳｍ２Ｃｏ１７等が主成分のＳｍＣｏ系磁石やＮｄ２Ｆｅ１４Ｂ１を主成分とするようなＮｄＦｅＢ系磁石、Ｂａ１Ｆｅ１２Ｏ１９やＳｒ１Ｆｅ１２Ｏ１９等のハードフェライト等が挙げられ、それぞれの焼結磁石、またはプラスチック材料と混ぜて作製されるプラスチック磁石を用いる。このようなハード磁石を用いて対の磁石にする場合と、片側だけをＦｅ,Ｎｉ等からなるソフト磁性材料、またはＭｎＺｎフェライトのような酸化物のソフト磁性材料、更にＳＵＳ３０４のような磁性のあるステンレス等の素材にしても同様な効果が得られる。磁石としては、希土類磁石は高く、また焼結磁石の場合には割れや欠けが発生しやすいために好ましくはプラスチック磁石を用いることが望ましい。
上記のようなマグネットを用いて作製したテープ状のものや磁石からなるボタンにおいて、着磁ベクトルはなるべく、対の相互が付き合う面に垂直方向が望ましく、場合によっては双方の磁石の面においてＮＳが共存するように領域に分けて着磁することでも良い。例えば一つの磁石において、中心部をＮ、外側をＳとして、対の片側の磁石を中心部をＳ、外側をＮとするようなボタンや、磁石からなるテープの長手方向に対して、ＮＳＮＳと並んだようにて着磁するものである。
磁石部材をテーブルナプキンに装着しやすいものにするために、磁石部材に穴を開けたり、または磁石部材に糸を通す非磁性部材を付け、それらの穴に糸を通じてテーブルナプキンに固定化することが好ましい。また、磁石部材を接着剤でテーブルナプキンに固定化しても同様な効果が得られ、同様に磁石部材をテーブルナプキンの素材に熱融着させても同様な効果が得られる。または、磁石部材の代わりに強磁性を示す繊維を縫い付けることでも同様な効果がある。
ナプキンに磁石が付いた状態の場合には、洗濯する際にお互いに磁気的な力により絡み合う場合があるので、これを防止するナプキンにはソフト磁性材料から出来たボタンを装着しておき、実際に使用する際にソフト磁性材料から出来たボタンにハード磁性材料から出来た磁石を片方、もしくは両方に付け、対となる両方のボタンを磁気的に付けるものである。このような方法でも同様な効果が得られる。
ナプキンの素材として、ナイロン、ポリエチレン等の合成繊維、麻、綿等の繊維から作製されても良く、特に生地を限定するものではない。
【発明の効果】
【０００８】
磁石によってテーブルナプキンを衣類に固定することによって、使用中にテーブルナプキンがずれて下に落ちることなく、安心して食事を続けることができる。また、磁石はテーブルナプキンの洗濯によって接合力が低下することもなく半永久的に使用できるので経済的であり、衣類を傷めることもない。
【実施例１】
【０００９】
図１は実施例１を二つ折りした図である。従来の麻や綿や化繊、若しくはそれらを混紡した素材からなる布製のテーブルナプキン１の表面の中心部に紐２によって対の１０ｍｍ径の磁石３・４を糸で縫いつけて装着する。この対の磁石材料として、片側をＳＵＳ３０４にし、相手側をＢａ１Ｆｅ１２Ｏ１９を主成分とするハードフェライトの焼結磁石とし、糸を通じる０．５ｍｍの穴を付けた。この磁石によって、テーブルナプキンの使用者は膝の上に置いたテーブルナプキンを二つ折りにした状態で衣類に固定できるために、使用中にテーブルナプキンがずれたり、下に落ちたりすることがない。また、テーブルナプキンを衣類に固定する手段が磁石であるために衣類を傷めることもなく、テーブルナプキンを洗濯しても半永久的に接合力が低下することもない。更に、畳み方によっては紐２と磁石３・４は使用前のテーブルナプキンのホルダーとしても利用できる。
【実施例２】
【００１０】
図２は実施例２を二つ折りした図である。従来の麻や綿や化繊、若しくはそれらを混紡した素材からなる布製のテーブルナプキン５を二つ折りした中心線上の任意の場所２箇所に紐６によって対の磁石７・８を装着する。この対の磁石として、直径１０ｍｍの厚み１ｍｍのＮｄＦｅＢ系の磁石を用いた。この磁石によって、テーブルナプキンの使用者は膝の上に置いたテーブルナプキンを二つ折りにした状態で衣類に固定できるために、使用中にテーブルナプキンがずれたり、下に落ちたりすることがない。また、テーブルナプキンを衣類に固定する手段が磁石であるために衣類を傷めることもなく、テーブルナプキンを洗濯しても半永久的に接合力が低下することもない。更に、畳み方によっては紐２と磁石３・４は使用前のテーブルナプキンのホルダーとしても利用できる。
【実施例３】
【００１１】
図３は実施例３の平面図である。従来の麻や綿や化繊、若しくはそれらを混紡した素材からなる布製のテーブルナプキン９を二つ折りした中心線上の両端に紐１１によって雄雌対の磁石１２・１３を装着する。磁石１２・１３は、片側をＳＵＳ３０４にし、もう片側にストロンチウムフェライトのプラスチック磁石を用いた。この磁石によって、テーブルナプキンの使用者は膝の上に置いたテーブルナプキンを二つ折りにした状態で衣類に固定できるために、使用中にテーブルナプキンがずれたり、下に落ちたりすることがない。また、テーブルナプキンを衣類に固定する手段が磁石であるために衣類を傷めることもなく、テーブルナプキンを洗濯しても半永久的に接合力が低下することもない。更に、畳み方によっては紐１１と磁石１２・１３は使用前のテーブルナプキンのホルダーとしても利用できる。
【００１２】
実施例１、２、３、ではテーブルナプキンに磁石を付ける場所として、中心や端等に装着したものを示したが、テーブルナプキンに装着する磁石の位置や個数は限定されるものではなく、少なくとも一対の磁石を装着したテーブルナプキンを磁石が服を挟むことにより服に固定化するものであり、テーブルナプキンに装着する磁石の位置も限定されるものではない。
【実施例４】
【００１３】
図４は実施例４の平面図である。従来の麻や綿や化繊、若しくはそれらを混紡した素材からなる布製のテーブルナプキン１４の中心部に、中心線１５を跨いだ任意の場所２箇所に対の磁石１６・１７を装着する。磁石としてはサマリウムコバルト磁石のプラスチック磁石とした。この磁石によって、テーブルナプキンの使用者は膝の上に広げたテーブルナプキンを衣類に固定できるために、使用中にテーブルナプキンがずれたり、下に落ちたりすることがない。また、テーブルナプキンを衣類に固定する手段が磁石であるために衣類を傷めることもなく、テーブルナプキンを洗濯しても半永久的に接合力が低下することもない。
【実施例５】
【００１４】
図５は実施例５の平面図である。従来の麻や綿や化繊、若しくはそれらを混紡した素材からなる布製のテーブルナプキン１８の中心線１９を跨ぐ形で対の磁石２０・２１を任意の場所２箇所に縫い付けて装着する。この対の磁石として、直径１０ｍｍの厚み１ｍｍのバリウムフェライトの焼結磁石を用いた。この磁石によって、テーブルナプキンの使用者は膝の上に置いたテーブルナプキンを二つ折りにした状態で衣類に固定できるために、使用中にテーブルナプキンがずれたり、下に落ちたりすることがない。また、テーブルナプキンを衣類に固定する手段が磁石であるために衣類を傷めることもなく、テーブルナプキンを洗濯しても半永久的に接合力が低下することもない。
【実施例６】
【００１５】
図６は実施例６の平面図である。従来の麻や綿や化繊、若しくはそれらを混紡した素材からなる布製のテーブルナプキン２２の、使用する際に手前側になる辺の中心部に、対の磁石２３・２４を接着剤で装着する。この対の磁石として、直径１０ｍｍの厚み１ｍｍのバリウムフェライトのプラスチック磁石を用いた。この磁石によって、テーブルナプキンの使用者は膝の上に広げたテーブルナプキンを衣類に固定できるために、使用中にテーブルナプキンがずれたり、下に落ちたりすることがない。また、テーブルナプキンを衣類に固定する手段が磁石であるために衣類を傷めることもなく、テーブルナプキンを洗濯しても半永久的に接合力が低下することもない。
【実施例７】
【００１６】
図７は実施例７の平面図である。従来の麻や綿や化繊、若しくはそれらを混紡した素材からなる布製のテーブルナプキン２５の、使用する際に手前側になる辺の２隅に、対の磁石２６・２７を縫い付ける同じ生地で挟むようにして中に入れて縫い付けて装着する。この対の磁石として、直径１０ｍｍの厚み１ｍｍのＮｄＦｅＢ系のプラスチック磁石の円盤を用いた。この磁石によって、テーブルナプキンの使用者は膝の上に広げたテーブルナプキンを衣類に固定できるために、使用中にテーブルナプキンがずれたり、下に落ちたりすることがない。また、テーブルナプキンを衣類に固定する手段が磁石であるために衣類を傷めることもなく、テーブルナプキンを洗濯しても半永久的に接合力が低下することもない。
【実施例８】
【００１７】
実施例７に示した対の磁石２６・２７として、磁石の保磁力や飽和磁束密度を変えたプラスチック磁石を作り、対の磁石が付く力を厚み２ｍｍのナイロン生地を挟んで評価した結果、表のようになった。磁石としてバリウムフェライトの組成としてＢａ１−ｘＺｎｘＦｅ１２Ｏ１９の組成を変えて、保磁力を変えて、飽和磁束密度はポリフェニレンサルファイドの樹脂量を変えて調節を行った。この結果、少なくとも保磁力は８００００Ａ／ｍ以上で、且つ飽和磁束密度０．１Ｔ以上あることが望ましいことが分かる。
【００１８】
【表１】
2007319305.tif 000003
【産業上の利用可能性】
【００１９】
レストランや結婚式などでは、食事の際に、衣類の汚れ防止のために、テーブルナプキンを膝の上に置いて使用する事が多いが、使用中にずれたり下に落ちたりすることがある。本発明では、テーブルナプキンに雄雌対の磁石を設けることによって、テーブルナプキンを使用者の衣類に固定することができ、ずれたり、下に落ちることを防止できる。また、テーブルナプキンを何度洗濯しても磁石の接合力は落ちないので半永久的に使用出来、経済的である。また利用者にとっては、磁石によってテーブルナプキンを固定するために、衣類を傷めることがなく、産業上の利用価値は高いと思われる。
【図面の簡単な説明】
【００２０】
【図１】実施例１を二つ折りにした図である。
【図２】実施例２を二つ折りにした図である。
【図３】実施例３の平面図である。
【図４】実施例４の平面図である。
【図５】実施例５の平面図である。
【図６】実施例６の平面図である。
【図７】実施例７の平面図である。
【符号の説明】
【００２１】
１ ナプキン本体
２ 紐
３ 磁石の雄
４ 磁石の雌
５ ナプキン本体
６ 紐
７ 磁石の雄
８ 磁石の雌
９ ナプキン本体
１０ ナプキン本体の中心線
１１ 紐
１２ 磁石の雄
１３ 磁石の雌
１４ ナプキン本体
１５ ナプキン本体の中心線
１６ 磁石の雄
１７ 磁石の雌
１８ ナプキン本体
１９ ナプキン本体の中心線
２０ 磁石の雄
２１ 磁石の雌
２２ ナプキン本体
２３ 磁石の雌
２４ 磁石の雄
２５ ナプキン本体
２６ 磁石の雌
２７ 磁石の雄
【図１】
2007319305.tif 000004
【図２】
2007319305.tif 000005
【図３】
2007319305.tif 000006
【図４】
2007319305.tif 000007
【図５】
2007319305.tif 000008
【図６】
2007319305.tif 000009
【図７】
2007319305.tif 000010